【手続補正書】
【提出日】平成16年1月28日(2004.1.28)
【手続補正１】
【補正対象書類名】明細書
【補正対象項目名】特許請求の範囲
【補正方法】変更
【補正の内容】
【特許請求の範囲】
【請求項１】
オーディオ／ビデオ番組を修正したバージョンの番組を出力する処理の方法は、次のステップを含む、
複数のフレーム速度及び複数の表示方式の一つから、複数の色成分を含む入力番組を受け取るステップと、
前記色成分ごとに、１８ＭＨｚを超える周波数でサンプリングして、前記入力番組を中間デジタル制作方式のビデオ番組に変換するステップと、
大容量デジタルビデオ保存ユニットに、前記中間デジタル制作方式のビデオ番組を保存するステップと、そして
前記大容量デジタルビデオ保存ユニットに保存されている前記中間デジタル制作方式のビデオ番組を、所望のフレーム速度と画像のピクセル数とを持つ出力バージョンの番組に変換して出力するステップ。
【請求項２】
前記中間デジタル制作方式は、毎秒２４フレームのフレーム速度を使用する請求項１に記載の方法。
【請求項３】
前記入力番組を、画素数が１０２４×５７６或いは１２８０×７２０の前記中間デジタル制作方式のビデオ番組に変換するに、色成分ごとに、３７ＭＨｚまでのサンプリング周波数を使用する請求項２に記載の方法。
【請求項４】
前記入力番組を、画素数が１９２０×１０８０の前記中間デジタル制作方式のビデオ番組に変換するに、色成分ごとに、７４．２５ＭＨｚまでのサンプリング周波数を使用する請求項２に記載の方法。
【請求項５】
画素補間の使用を含み、所望のフレーム速度と画像のピクセル数とを持つ出力バージョンの番組を出力する請求項１に記載の方法。
【請求項６】
前記出力バージョンの番組は、７２０×４８０、７２０×５７６、１０２４×５７６、１２８０×７２０、或いは、１９２０×１０８０のピクセルの画素数を持つ請求項１に記載の方法。
【請求項７】
前記入力番組は、標準かワイドスクリーンのＮＴＳＣ、ＰＡＬ、または、ＳＥＣＡＭである請求項１に記載の方法。
【請求項８】
前記入力番組は、２４ｆｐｓ、２５ｆｐｓ、または、３０ｆｐｓのＨＤＴＶである請求項１に記載の方法。
【請求項９】
前記出力バージョンの番組は、２４ｆｐｓ、２５ｆｐｓ、または、３０ｆｐｓの整数倍のフレーム速度で出力可能な請求項１に記載の方法。
【請求項１０】
前記入力番組を受け取るステップは、水平解像度６００本以上の解像度を持つカメラからの前記入力番組を受け取ることを含む請求項１に記載の方法。
【請求項１１】
データ圧縮方式で前記ビデオ番組を保存するステップを含む請求項１に記載の方法。
【請求項１２】
前記中間デジタル制作方式のビデオ番組に変換するステップは、４：２：２の処理を使用することを含む請求項１に記載の方法。
【請求項１３】
前記中間デジタル制作方式のビデオ番組に変換するステップは、ライン２倍化か４倍化の使用を含む請求項１に記載の方法。
【請求項１４】
マルチフォーマットオーディオ／ビデオ処理システムは、表示装置を使用して、次の装置を含む、
複数の表示方式の一つから、複数の色成分を含む入力番組を受け取る入力、
前記入力番組を受け取ると共に、各色成分ごとに１８ＭＨｚを超える周波数でサンプリングして、前記表示方式の前記入力番組を中間デジタル制作方式のビデオ番組に変換するグラフィックプロセッサ、
フレーム速度変換を行うことができるように、前記ビデオ番組の記録や再生を同期あるいは非同期で行うことができるデータ転送速度を持つ大容量ビデオ保存ユニット、
前記入力、前記グラフィックプロセッサ、及び、前記大容量ビデオ保存ユニットを操作可能なマイクロプロセッサ、
前記マイクロプロセッサは、次の機能を行うことができるように、前記入力、前記グラフィックプロセッサ、及び、前記大容量ビデオ保存ユニットを制御する、
（ａ）前記入力番組を前記中間デジタル制作方式のビデオ番組に変換する機能、
（ｂ）前記大容量ビデオ保存ユニットに前記中間デジタル制作方式のビデオ番組を保存する機能、
（ｃ）入力信号を受け取る手段から直接受取って、前記中間デジタル制作方式のビデオ番組を出力方式の番組に変換する機能、及び、前記大容量ビデオ保存手段の前記中間デジタル制作方式のビデオ番組を出力方式の番組に変換する機能。
【請求項１５】
前記グラフィックプロセッサはさらに、フィルム出力ビデオインターフェースを含み、そして、前記マイクロプロセッサは、前記入力信号を受け取る手段から直接受取って、或いは、前記大容量ビデオ保存手段から、前記入力方式の入力番組を写真製作の出力信号に変換する請求項１４に記載のマルチフォーマットオーディオ／ビデオ処理システム。
【請求項１６】
前記グラフィックプロセッサはさらに、インターフェースユニットを含み、前記インターフェースユニットが、２４、２５または３０ｆｐｓの整数倍のフレーム速度で出力可能な請求項１４に記載のマルチフォーマットオーディオ／ビデオ処理システム。
【請求項１７】
前記入力番組を受け取る入力は、水平解像度６００本以上の解像度を持つカメラからの前記入力番組を受け取ることを含む請求項１４に記載のマルチフォーマットオーディオ／ビデオ処理システム。
【請求項１８】
前記マイクロプロセッサは、データ圧縮方式で前記ビデオ番組を保存する機能を含む請求項１４に記載のマルチフォーマットオーディオ／ビデオ処理システム。
【請求項１９】
前記グラフィックプロセッサは、４：２：２の処理を使用することを含む請求項１４に記載のマルチフォーマットオーディオ／ビデオ処理システム。
【請求項２０】
前記マイクロプロセッサが、前記入力番組のアスペクト比を変換する請求項１４に記載のマルチフォーマットオーディオ／ビデオ処理システム。
【請求項２１】
前記中間デジタル制作方式は、毎秒２４フレームのフレーム速度に基づいている請求項１４に記載のマルチフォーマットオーディオ／ビデオ処理システム。
【請求項２２】
前記グラフィックプロセッサはさらに、インターフェースユニットを含み、前記インターフェースユニットは、前記毎秒２４フレームの前記中間デジタル制作方式を毎秒３０フレームのＮＴＳＣ／ＨＤＴＶ互換の出力信号に、或いは、毎秒２５フレームのＰＡＬ／ＳＥＣＡＭ／ＨＤＴＶ互換の出力信号に変換する請求項１８に記載のマルチフォーマットオーディオ／ビデオ処理システム。
【請求項２３】
前記グラフィックプロセッサが、さらに、前記中間デジタル制作方式のビデオ番組を、一つかそれ以上のインターフェースユニットを備えた離れた場所に移す手段を含む請求項１４に記載のマルチフォーマットオーディオ／ビデオ処理システム。
【請求項２４】
前記グラフィックプロセッサが、画素補間を行う請求項１４に記載のマルチフォーマットオーディオ／ビデオ処理システム。
【請求項２５】
前記グラフィックプロセッサが、ライン２倍化あるいは４倍化を行う請求項１４に記載のマルチフォーマットオーディオ／ビデオ処理システム。
【請求項２６】
オーデイオ／ビデオ番組を修正したバージョンの出力番組に処理する方法は次のステップを含む、
入力番組を第１インターレース方式で受け取り、
前記入力番組を第１プログレッシブ方式のビデオ番組になるようにインターレース解除し、
前記第１プログレッシブ方式のビデオ番組のフレームの幾つかを繰り返したり、或いは、取り除いたりして中間プログレッシブ方式の番組に作り変え、
前記中間プログレッシブ方式の番組をインターレースして第２インターレース方式の番組を出力する。
【請求項２７】
前記第１インターレース方式は、３０ｆｐｓのＮＴＳＣかＨＤＴＶである請求項２３に記載の方法。
【請求項２８】
前記第２インターレース方式は、２５ｆｐｓのＰＡＬ、ＳＥＣＡＭまたはＨＤＴＶである請求項２３に記載の方法。
【請求項２９】
前記第１インターレース方式は、２５ｆｐｓのＰＡＬ、ＳＥＣＡＭまたはＨＤＴＶである請求項２３に記載の方法。
【請求項３０】
前記第２インターレース方式は、３０ｆｐｓのＮＴＳＣかＨＤＴＶである請求項２３に記載の方法。
【請求項３１】
ビデオ標準方式を相互に変換する方法は、次のステップを含む、
ＮＴＳＣかＨＤＴＶ（３０ｆｐｓ）の入力番組を受け取るステップ、
前記入力番組をインターレース解除するステップ、
インターレース解除した前記入力番組から毎回６番目のフレームを除去するステップ、
各フレームを各フィールドにインターレースして、ＰＡＬ、ＳＥＣＡＭまたはＨＤＴＶ（２５ｆｐｓ）番組を出力するステップ。
【請求項３２】
ＰＡＬ、ＳＥＣＡＭまたはＨＤＴＶ（２５ｆｐｓ）の番組をＮＴＳＣまたはＨＤＴＶ（３０ｆｐｓ）の番組に変換するために、反対の順序で処理するステップを含み、
前記インターレース解除した前記入力番組から毎回６番目のフレームを取り除くステップを、毎回５番目のフレームを繰り返すステップに代える請求項２８に記載の方法。